(57)【要約】【課題】指紋の登録データを最小限に抑えつつ、セキュリティ性を確保することができる操作表示装置を提供する。【解決手段】指をスライドさせることで指紋を読み取るスイープ型指紋センサと、指紋の情報を記憶する指紋情報記憶手段と、前記スイープ型指紋センサで読み取った指紋の情報と前記指紋情報記憶手段に記憶している指紋の情報とを比較して、合致しているかを判定する使用判定手段とを具備した操作表示装置において、前記スイープ型指紋センサで読み取った前記指紋の情報から前記指のスライド方向を認識する方向認識手段を設けた。【選択図】図１０
2008009835.tif 000002
【特許請求の範囲】
【請求項１】
指をスライドさせることで指紋を読み取るスイープ型指紋センサと、指紋の情報を記憶する指紋情報記憶手段と、前記スイープ型指紋センサで読み取った指紋の情報と前記指紋情報記憶手段に記憶している指紋の情報とを比較して、合致しているかを判定する使用判定手段とを具備した操作表示装置において、
前記スイープ型指紋センサで読み取った前記指紋の情報から前記指のスライド方向を認識する方向認識手段を設けたことを特徴とする操作表示装置。
【請求項２】
前記方向認識手段によって認識された前記指のスライド方向の一つ又は複数の組み合わせが、複数の操作機能のそれぞれに対して関連づけられていることを特徴とする請求項１に記載の操作表示装置。
【発明の詳細な説明】
【技術分野】
【０００１】
本発明は、複写機やＡＴＭなどに搭載されている操作表示装置に関するものである。
【背景技術】
【０００２】
従来から、複写機やＡＴＭなどにはテンキーやタッチパネルなどからなる操作表示装置が搭載されており、セキュリティ性を確保するために、指紋認証により各種操作を実行可能にするものが知られている。ここで、指紋による認証方法としては、一人の使用者が複数の指の指紋を登録し、操作表示装置の複数の機能のそれぞれについて複数の指紋のいずれかを対応させておき、各機能に対応した指紋を用いて使用者の認識を行うものがある（例えば、特許文献１参照）。
【特許文献１】特開２００３−１６３７６２号公報
【発明の開示】
【発明が解決しようとする課題】
【０００３】
ところで、一人の使用者が複数の指紋を登録すると、指紋の登録データだけでデータ量が膨大になり、メモリ容量を増大しなければならない虞がある。
【０００４】
そこで、本発明は、上記事情を鑑みてなされたものであり、指紋の登録データを最小限に抑えつつ、セキュリティ性を確保することができる操作表示装置を提供することを目的とする。
【課題を解決するための手段】
【０００５】
上記の課題を解決するために、請求項１に記載した発明は、指をスライドさせることで指紋を読み取るスイープ型指紋センサと、指紋の情報を記憶する指紋情報記憶手段と、前記スイープ型指紋センサで読み取った指紋の情報と前記指紋情報記憶手段に記憶している指紋の情報とを比較して、合致しているかを判定する使用判定手段とを具備した操作表示装置において、前記スイープ型指紋センサで読み取った前記指紋の情報から前記指のスライド方向を認識する方向認識手段を設けたことを特徴とする。
このように構成することで、一つの指紋で複数の認証パターンを作成することができる。
【０００６】
請求項２に記載した発明は、前記方向認識手段によって認識された前記指のスライド方向の一つ又は複数の組み合わせが、複数の操作機能のそれぞれに対して関連づけられていることを特徴とする。
このように構成することで、操作表示装置で実行可能な複数の機能の各機能毎に認証パターンを設定することができる。
【発明の効果】
【０００７】
請求項１に記載した発明によれば、一つの指紋で複数の認証パターンを作成することができるため、指紋の登録データを最小限に抑えることができ、装置内のメモリ容量を増大しなくても済むという効果がある。
【０００８】
請求項２に記載した発明によれば、操作表示装置で実行可能な複数の機能の各機能毎に認証パターンを設定することができるため、セキュリティ性を確保することができる効果がある。
【発明を実施するための最良の形態】
【０００９】
次に、本発明の実施形態を図１〜図１２に基づいて説明する。
本実施形態では、操作表示装置が複写機に搭載された場合について説明する。
図１に示すように、複写機１は、図示しない画像記憶部、画像処理部、印刷部及び制御部などを備えた複写機本体３が下部に形成されている。複写機本体３の上部手前側に複写機１の各種操作を実行するための操作部５と、透明電極からなるタッチパネル７が表面に配置された表示部９とを備えた操作表示装置１１が構成され、複写機本体３の上部で操作表示装置１１以外の部分には、原稿画像を自動的に給紙するための自動原稿送り装置（ＡＤＦ）１３と、原稿画像を読み取るためのスキャナ部１５とを備えた画像読取部１７が構成されている。
【００１０】
図２に示すように、操作表示装置１１は、操作部５と表示部９とから構成されている。操作部５は、使用者による各種の操作指示を受け付け、当該操作指示内容を制御部３１に出力する複数のボタン１９で構成されたものである。ボタン１９は、複写作業などを開始する指示をするスタートキー１９ａ、複写枚数などを設定するテンキー１９ｂ、初期設定画面を起動などするファンクションキー１９ｃなどから構成されている。また、テンキー１９ｂと表示部９との間には、スイープ型指紋センサ２１が設けられている。
【００１１】
スイープ型指紋センサ２１は、各種操作を行う際にセキュリティ性を向上させるために指紋認証を行い、使用許諾の判定をするために設けられている。スイープ型指紋センサ２１は、指紋２７の一部分の画像を連続的に読み取り、それらを画像処理することで指紋２７の形状を認識するセンサである。
図３に示すように、スイープ型指紋センサ２１は、指２３の幅よりも大きな横幅を持つ矩形の感知部２５を有しており、この感知部２５の上面を指２３が縦方向にスライド動作する間に、指紋２７の部分画像を連続的に読み取り可能に構成されている。
図４、図５に示すように、読み取られた指紋２７の複数の部分画像２９ａ〜２９ｐは、隣接する部分画像同士の相互に指紋形状が重複する部分を重なるように画像処理し、一つの指紋２７として認識することができ、その後、指紋２７の特徴情報を生成することで認証するための指紋情報として確定するように構成されている。
【００１２】
使用者を限定する場合などには、予め使用者の指紋情報を複写機１内の指紋情報記憶部に登録しておき、使用する際にスイープ型指紋センサ２１にて認証を行い、各種操作を実行可能に構成されている。また、本実施形態では、指をスライドする方向を認識することができるように構成されている。
【００１３】
次に、図６に示すように、操作部５は上述の通り、ボタン１９による操作指示が制御部３１へ出力されるように構成されている。また、表示部９はカラー又はモノクロ液晶ディスプレイ（ＬＣＤ）で構成されており、制御部３１から入力された表示指示に基づいて各種画像、文字、図形などで各種情報を表示するとともに、使用者が表示部９に表示された機能キーに触れることによってタッチパネル７が機能し、入力された操作指示を制御部３１に出力する。
【００１４】
画像読取部１７は、自動原稿送り装置（ＡＤＦ）１３とスキャナ部１５とを備えている。このような画像読取部１７は、制御部３１による制御の下に、自動原稿送り装置１３から供給された原稿がガラス面上に送られ、複写機本体３に内蔵されたスキャナ部１５にて原稿の画像を順次読み取り、原稿画像の色彩を示すカラー画像データを画像記憶部３３に出力する。
【００１５】
画像記憶部３３は、ハードディスクなどの外部記憶装置或いは／及び半導体メモリから構成されており、画像読取部１７から入力された原稿画像のカラー画像データを記憶する。この画像記憶部３３は、制御部３１による制御の下に、読み取られた原稿画像のカラー画像データの書き込みを行うと共に、当該カラー画像データを読み出して画像処理部３５に出力する。
【００１６】
画像処理部３５は、制御部３１による制御の下に、画像記憶部３３から入力されたカラー画像データを印刷用のデータに画像変換して印刷部３７に出力する。
【００１７】
印刷部３７は、制御部３１による制御の下に、印刷紙を搬送しつつ当該印刷紙にトナーを付着させることにより、上記カラー画像データに基づいて原稿画像を印刷紙上に出力する印刷手段である。
【００１８】
制御部３１は、操作部５或いは表示部９のタッチパネル７から入力される操作指示、内部メモリに記憶された制御プログラム及び各種制御用データなどに基づいて、複写機１の全体動作を制御するものである。即ち、制御部３１は、上記操作指示、制御プログラム及び各種制御用データなどに基づいて制御演算を行うＣＰＵ（Central Processing Unit）及び他の各部（つまり操作部５、表示部９、画像読取部１７、画像記憶部３３、画像処理部３５、及び印刷部３７）とのデータ授受を行う各種入出力インタフェース回線などから構成されており、上記他の各部を統括的に制御することによって、画像読取部１７が読み取った原稿画像を印刷部３７より印刷することが可能となる。
【００１９】
また、本実施形態では、制御部３１には、管理者及び使用者の指紋２７の情報が指紋情報記憶手段により記憶されている図示しない指紋情報記憶部が接続され、指紋の照合を行う図示しない使用判定手段を備えている。使用判定手段は、スイープ型指紋センサ２１が読み取った指紋の情報と予め指紋情報記憶部が記憶している指紋の情報とを比較、照合し、設定されている照合率の範囲内で両者が合致しているか否かを判定するように構成されている。更に、制御部３１は、指２３のスライド方向を認識することができる方向認識手段を備えている。
【００２０】
次に、作用について説明する。
複写機１は、電源がＯＮされており、スタンバイ状態である。この状態でコピーをするときは、コピーをする原稿を自動原稿送り装置１３にセットし、表示部９のタッチパネル７や操作部５のテンキー１９ｂなどで用紙サイズ、コピー枚数、濃度、倍率などを設定し、スタートボタン１９ａを押すことでコピーが開始される。
【００２１】
コピーが開始されると、原稿は自動原稿送り装置１３からスキャナ部１５へと搬送され、スキャナ部１５において原稿が読み取られる。読み取られた原稿の画像データは複写機本体３の内部に設けられた画像記憶部３３から画像処理部３５へと送られた後、印刷部３７へデータが送られると、複写機本体３に内蔵されたトナーにより印刷紙へ印字され、印刷物として排出される。
ここで、使用者を限定して複写機１を運用したい場合などには、使用者の認証を行い、許可された者のみが各種操作を実行可能になるセキュリティモードがある。本実施形態では、スイープ型指紋センサ２１を用いて、セキュリティモードの管理を行っている。
【００２２】
まず、複写機１に管理者の指紋を登録する手順を説明する。
図７に示すように、ステップ１（Ｓ１）では、管理者の指紋２７が全く登録されていない状態で複写機１が起動した場合、複写機１の表示部９には管理者登録用の画面を表示する。次に、ステップ２（Ｓ２）では、スイープ型指紋センサ２１にて、表示された情報にしたがって管理者となる個人の指紋２７の受付を行う。ステップ３（Ｓ３）では、スイープ型指紋センサ２１にて指紋２７を読み取った後に、表示部９に管理者としての登録をするか否かの確認を求めるメッセージを表示する。ステップ４（Ｓ４）では、表示部９に表示された登録確認を求めるメッセージに対して、「ＹＥＳ」か「ＮＯ」を選択し、「ＹＥＳ」を選択した場合は、ステップ５（Ｓ５）へ進み、「ＮＯ」を選択した場合は、ステップ１へ戻り、再度管理者登録を行うようにする。ステップ５では、受け付けた指紋２７の情報を管理者識別情報に関連付けて指紋情報記憶部に記憶し（指紋情報記憶手段）、処理を終了する。
【００２３】
次に、使用者の指紋を登録する手順を説明する。
図８に示すように、ステップ１１（Ｓ１１）では、個人認識の機能に対応した指紋２７をスイープ型指紋センサ２１に読み取らせる。ステップ１２（Ｓ１２）では、スイープ型指紋センサ２１で読み取った指紋２７の情報と、指紋情報記憶部に記憶してある管理者の指紋２７の情報とを使用判定手段にて照合し、設定されている照合率の範囲内で両者が合致しているか否かにより、管理者として認識できるか否かを判定する。管理者として合致した場合は、ステップ１３（Ｓ１３）へと進み、合致しなかった場合は、ステップ１４（Ｓ１４）へと進む。ステップ１４では、表示部９に管理者機能の使用の不許可を通知するメッセージを表示し、処理を終了する。ステップ１３では、管理者が実行することができる機能が表示部９に表示される。
【００２４】
ステップ１５（Ｓ１５）では、使用者登録機能が選択され、使用者の指紋を受け付ける画面が表示される。ステップ１６（Ｓ１６）では、スイープ型指紋センサ２１にて、表示された情報にしたがって使用者となる個人の指紋の受付を行う。ステップ１７（Ｓ１７）では、表示部９に使用者としての登録をするか否かの確認を求めるメッセージを表示する。ステップ１８（Ｓ１８）では、表示部９に表示された登録確認を求めるメッセージに対して、「ＹＥＳ」か「ＮＯ」を選択し、「ＹＥＳ」を選択した場合は、ステップ１９（Ｓ１９）へ進み、「ＮＯ」を選択した場合は、ステップ１５へ戻り、再度使用者登録を行うようにする。ステップ１９では、受け付けた指紋の情報を使用者識別情報に関連付けて指紋情報記憶部に記憶し（指紋情報記憶手段）、処理を終了する。
【００２５】
次に、使用者が各種機能を操作実行する手順を説明する。
図９に示すように、ステップ２１（Ｓ２１）では、個人認識の機能に対応した指紋２７をスイープ型指紋センサ２１に読み取らせる。ステップ２２（Ｓ２２）では、スイープ型指紋センサ２１で読み取った指紋の情報と、指紋情報記憶部に記憶してある使用者の指紋の情報とを使用判定手段にて照合し、設定されている照合率の範囲内で両者が合致しているか否かにより、使用者として認識できるか否かを判定する。使用者として合致した場合は、ステップ２３（Ｓ２３）へと進み、合致しなかった場合は、ステップ２４（Ｓ２４）へと進む。ステップ２４では、表示部９に使用者として認識されなかったため、使用不可を通知するメッセージを表示し、処理を終了する。ステップ２３では、使用者が実行することができる機能が表示部９に表示される。
【００２６】
このとき、図１０に示すように、各機能を実行するための指のスライド方向の組み合わせを示す一覧も表示される。例えば、使用者がスライドパターン下＋下（指を下から上に２回スライドさせるパターン）を行い、それが認証されると、「実行」キーが機能するようになり、スライドパターン上＋下（指を上から下に１回スライドさせ、その後に下から上に１回スライドさせるパターン）を行い、それが認証されると、「枚数設定」キーが機能するようになる。このように各種機能毎に割り当てられたスライドパターンにしたがって指をスライドさせることで、各種機能の設定や実行をすることができる。
【００２７】
ステップ２５（Ｓ２５）では、実行したい機能を選択し、選択した指定機能に関連付けられた指のスライド方向の組み合わせにしたがって指をスライドさせ、その情報を受け付ける。ステップ２６（Ｓ２６）では、受け付けた指紋のスライドパターンと予め設定されているスライドパターンとが合致したか否かを方向認識手段により判断する。合致した場合にはステップ２７（Ｓ２７）へ進み、合致しなかった場合にはステップ２８（Ｓ２８）へ進む。ステップ２８では、使用の不許可を通知するメッセージを表示する。次に、ステップ２９（Ｓ２９）では、ステップ２８の回数、つまり指紋のスライドパターンがある規定回数以上連続して合致しなかったか否かを判断する。規定回数以上の場合には処理を終了し、規定回数より少ない回数の場合は、ステップ２５へ戻り、再度操作を繰り返すことができる。
【００２８】
ステップ２７では、選択した指定機能の操作の受付を行い、例えば、コピー枚数の設定や、ＦＡＸ番号の設定などを行うことができ、ステップ３０（Ｓ３０）へと進む。ステップ３０では、他に継続して実行したい機能があるか否かを選択し、継続したい場合にはステップ２３へ戻り、継続しない場合には処理を終了する。
【００２９】
次に、指のスライド方向の認識方法（方向認識手段）について説明する。
図１１（Ａ）、（Ｂ）、図１２に示すように、指２３をスイープ型指紋センサ２１に対して上から下に向かってスライドさせた場合と、下から上に向かってスライドさせた場合とで、画像メモリ内に読み取られた指紋情報は上下が逆の画像として読み取ることができる。
具体的に説明をする。指２３を上から下の方向にスライドさせた場合は、図４に示す部分画像２９ａが一番初めに読み取られ、順次２９ｂ、２９ｃ、・・・、２９ｐの順に読み取られる。そうすると隣接する各部分画像同士をある規定値以内で上下にずらすことでお互いに重なり合わせることができる。それらを画像処理すると図１１（Ａ）の指紋情報として確定する。
【００３０】
次に、指２３を下から上の方向にスライドさせた場合は、部分画像２９ｐが一番初めに読み取られ、順次２９ｏ、２９ｎ、・・・、２９ａの順に読み取られる。つまり、図１２に示すような連続した部分画像として読み取られる。そうすると、隣接する各部分画像同士をある規定値以内で上下にずらしてもお互いに重なり合わせることができない。その場合には、部分画像２９ａ〜２９ｐのそれぞれを上下反転させた後に、隣接する各部分画像同士をある規定値以内で上下にずらしてお互いに重なり合わせてみる。それらを画像処理すると、図１１（Ｂ）の指紋情報として確定する。
ここで、それぞれの指紋２７の特徴点の情報も上下鏡像の関係になっているため、その位置関係を判定することで、指２３のスライド方向を認識することができる。
【００３１】
本実施形態では、一人の使用者から一本の指の指紋を登録するだけで良いため、複写機内のメモリ容量を増大することなく、多くの使用者の情報を登録することができる。そのため、複写機の寸法を小型化することができる効果も期待できる。
また、スイープ型指紋センサを用いて、更に方向認識手段により指のスライド方向を認識することが可能であるため、各種機能毎に指のスライド方向の組み合わせを設定することができる。そのため、セキュリティ性を確保することができる。
【００３２】
尚、この発明は上述した実施の形態に限られるものではなく、例えば以下のような態様も採用可能である。
本実施形態では、複写機に搭載した場合の説明をしたが、複合機やＡＴＭなどに搭載しても良い。
本実施形態では、スイープ型指紋センサに対して指を上下にスライドさせるように配置した場合の説明をしたが、スイープ型指紋センサの配置を９０°回転させて配置し、指を左右にスライドさせるようにしても良い。
本実施形態では、各機能を実行するための指のスライド方向の組み合わせを示す一覧を表示する場合の説明をしたが、一覧表は表示させずに例えばセキュリティカードなどにのみ表示しておき、それを持っていないと操作できないようにしても良い。
【図面の簡単な説明】
【００３３】
【図１】本発明の実施形態における複写機の斜視図である。
【図２】本発明の実施形態における操作表示装置の斜視図である。
【図３】本発明の実施形態におけるスイープ型指紋センサの平面図である。
【図４】本発明の実施形態におけるスイープ型指紋センサで指を上から下の方向にスライドさせた場合に読み取られる部分画像のイメージ図である。
【図５】本発明の実施形態における分割画像を画像処理した後の指紋の平面図である。
【図６】本発明の実施形態における複写機のブロック図である。
【図７】本発明の実施形態における管理者登録時のフローチャートである。
【図８】本発明の実施形態における使用者登録時のフローチャートである。
【図９】本発明の実施形態における使用者操作時のフローチャートである。
【図１０】本発明の実施形態における指紋情報記憶部が記憶している指のスライドパターンと対応機能との関係を示す概念図である。
【図１１】本発明の実施形態における指のスライド方向を変えた場合の画像メモリ内でのデータの概念図であり、（Ａ）が上→下にスライドさせた場合、（Ｂ）が下→上にスライドさせた場合の概念図である。
【図１２】本発明の実施形態におけるスイープ型指紋センサで指を下から上の方向にスライドさせた場合に読み取られる部分画像のイメージ図である。
【符号の説明】
【００３４】
１１…操作表示装置  ２１…スイープ型指紋センサ  ２３…指  ２７…指紋  
【図１】
2008009835.tif 000003
【図２】
2008009835.tif 000004
【図３】
2008009835.tif 000005
【図４】
2008009835.tif 000006
【図５】
2008009835.tif 000007
【図６】
2008009835.tif 000008
【図７】
2008009835.tif 000009
【図８】
2008009835.tif 000010
【図９】
2008009835.tif 000011
【図１０】
2008009835.tif 000012
【図１１】
2008009835.tif 000013
【図１２】
2008009835.tif 000014